(57)【要約】  カップリング接続部は、メモリデバイスを備えている。接続を確立するために、カップリング接続部の油圧チャンバは、所定の圧力で加圧される。所定の圧力の情報は、メモリデバイス内に記憶される。システムは、メモリデバイス上に記憶されている情報を、カップリング接続部の加圧のために使用する。カップリング接続部の油圧チャンバを加圧する方法は、メモリデバイス上に記憶されている情報を読み取るステップを含む。
2019510937.tif 000002
【特許請求の範囲】
【請求項１】
油圧チャンバ（９）と流体入口（１３）とを備えているカップリング接続部（３）であって、
前記流体入口は、前記油圧チャンバ（９）の加圧のためにポンプ（１９）と接続可能である、カップリング接続部において、
前記カップリング接続部（３）は、メモリデバイス（２１）を備えている、
ことを特徴とするカップリング接続部（３）。
【請求項２】
インプットシャフト（１５）とアウトプットシャフト（１７）との間の接続を提供するために、前記油圧チャンバ（９）は、所定の圧力によって加圧され、
前記油圧チャンバ（９）は、所定の圧力によって加圧され、前記メモリデバイスは、前記所定の圧力に関する情報を含む、
請求項１記載のカップリング接続部（３）。
【請求項３】
前記メモリデバイス（２１）は、前記所定の圧力に関する情報が記憶されるＲＯＭ（２３）と、測定された圧力値が記憶されるＲＡＭ（２５）とを備えている、
請求項１記載のカップリング接続部（３）。
【請求項４】
前記メモリデバイス（２１）は、前記カップリング接続部（３）内に、特に、前記カップリング接続部（３）の外側スリーブ（７）内に組み込まれている、または、前記カップリング接続部（３）に永続的に固定されている、
請求項１から３までのいずれか１項記載のカップリング接続部（３）。
【請求項５】
前記メモリデバイス（２１）は、手持型デバイス（３３）との接続を確立するためのインタフェース（２７）を備えている、
請求項１から４までのいずれか１項記載のカップリング接続部（３）。
【請求項６】
前記カップリング接続部（３）は、前記カップリング接続部（３）によって伝達されたトルクの測定値を生成するトルク測定センサ（３９）と、前記油圧チャンバ（９）内の圧力の圧力値を提供する圧力センサ（３８）とを備えている、
請求項５記載のカップリング接続部（３）。
【請求項７】
請求項１から６までのいずれか１項に記載されたカップリング接続部を加圧するためのシステム（１）であって、
ポンプ（１９）が前記カップリング接続部に接続可能である、システムにおいて、
制御デバイス（３１）、好ましくは手持型デバイス（３３）が、前記メモリデバイス（２１）に接続可能である、
ことを特徴とするシステム（１）。
【請求項８】
前記制御デバイス（３１）は、前記ポンプ（１９）に接続可能である、
請求項７記載のシステム（１）。
【請求項９】
前記制御デバイス（３１）は、前記メモリデバイス（２１）内に記憶されている情報を表示するディスプレイを備えている、
請求項７または８記載のシステム（１）。
【請求項１０】
前記制御デバイス（３１）は、前記メモリデバイス（２１）および／またはポンプ（１９）に無線接続可能である、
請求項７から９までのいずれか１項記載のシステム（１）。
【請求項１１】
前記制御デバイス（３１）は、前記ポンプ（１９）の、組み込まれた部分である、
請求項７から１０までのいずれか１項記載のシステム（１）。
【請求項１２】
請求項１から６までのいずれか１項記載のカップリング接続部（３）の外側スリーブ（７）と内側スリーブ（５）との接続を確立する方法であって、
前記接続は、前記内側スリーブ（５）と前記外側スリーブ（７）との間に摩擦力を提供する前記油圧チャンバ（９）の加圧によって確立される、方法において、
・前記カップリング接続部（３）のメモリデバイス（２１）から所定の圧力値を読み出すステップと、
・前記所定の圧力値の情報と、前記伝達された圧力情報とをディスプレイに表示するステップと、
・ポンプ（１９）によって前記油圧チャンバ（９）を加圧するステップと、
を含む方法。
【請求項１３】
前記加圧の終了後に、最終的な圧力値が伝達され、前記メモリデバイス（２１）内に記憶される、
請求項１２記載の方法。
【請求項１４】
前記所定の圧力値は、手持型デバイス（３３）に伝達され、前記加圧のデータは、前記手持型デバイス（３３）に伝達され、両方の情報が、前記手持型デバイスによって表示される、
請求項１２または１３記載の方法。
【請求項１５】
・前記カップリング接続部（３）に固定された、前記カップリング接続部（３）の個々の識別を読み出すために、前記手持型デバイス（３３）を使用するステップと、
・前記手持型デバイス（３３）が、前記所定の圧力値を提供するステップと、
・前記手持型デバイス（３３）が、前記油圧チャンバ（９）の加圧を制御し、好ましくは、加圧の進行状況を表示するステップと、
を含む、
請求項１２から１４までのいずれか１項記載の方法。
【発明の詳細な説明】
【技術分野】
【０００１】
外側スリーブと内側スリーブとを含むコネクティングカップリングおよびセーフティコネクティングカップリングにおいては、内側スリーブと外側スリーブが摩擦力によって接続されていることがよく知られている。摩擦接続を提供するために、油圧チャンバが加圧される。伝達可能なトルクは、油圧チャンバ内の選択された圧力によって予め決定される。油圧チャンバを作動油で満たすために、コネクティングカップリングは、油圧チャンバに接続され、かつ、加圧のためにポンプに接続可能な流体入口を備えている。
【背景技術】
【０００２】
例えば、Ｖｏｉｔｈ  Ｔｕｒｂｏ  Ｓａｆｅｓｅｔ  ＡＢは、ＨｙＧｒｉｐ等のコネクティングカップリングを提供している。これらのコネクティングカップリングは、バックラッシフリー、摩擦型、クイックセット／リリース型のシャフト対ハブ接続である。セットまたはリリースは、油圧式である。用途に応じて、様々な動作原理が利用可能であり、そのすべてがバックラッシフリーの圧力接続の利点を提供する。ＨｙＧｒｉｐカップリングの説明は、２０１０年に発行された会社のチラシ「Ｃｏｎｎｅｃｔｉｏｎ  Ｃｏｕｐｌｉｎｇｓ  ＨｙＣｏｎ，ＨｙＬｏｃ  ａｎｄ  ＨｙＧｒｉｐ」（Ｇ１５７８）に掲載されている。接続は、カップリング接続部の加圧によって提供される。
【０００３】
Ｖｏｉｔｈ  Ｔｕｒｂｏ  Ｓａｆｅｓｅｔ  ＡＢは、ＳａｆｅＳｅｔ、ＳｍａｒｔＳｅｔおよびＳｌｉｐＳｅｔの名称で、過負荷防止安全装置付きのトルク伝達コネクティングカップリングを提供している。
【０００４】
ＳａｆｅＳｅｔの原理は、シンプルであり、摩擦と柔軟性である。材料疲労がないこと、一定のトルク伝達および適応性である。これらのセーフティコネクティングカップリングは、予め設定されたトルクでのリリース機構を備えている。したがって、過トルク状態ではすぐにリリースが実現される。ＳａｆｅＳｅｔカップリングは、二重壁の中空スリーブを備えている。摩擦接続は、表面圧によって提供される。したがって、二重壁の中空スリーブは、加圧された作動油によって拡張される。一体型せん断管は、圧力を保持し、一定であるが、容易に適合可能なトルク伝達を保証する。過負荷状態では、カップリングが滑り、せん断管が切れる。油圧が低下し、摩擦面が分離する。カップリングは、トルクを伝達することなく、ベアリング上で回転する。
【０００５】
圧力解放後、所定の圧力で接続部を加圧することによって接続が再び確立される。記録資料において、圧力が調べられなければならない。正しい値を調べることは、極めて重要であり、そうでない場合には、接続が、予測されたように機能しないというリスクが生じてしまう。カップリング接続部またはセーフティカップリングが予測されたトルクを伝達しない場合、動作時間は、減少する。
【発明の概要】
【発明が解決しようとする課題】
【０００６】
本発明の課題は、より快適なカップリング接続部と、カップリング接続部の加圧および再加圧のためのシステムと、加圧および再加圧の方法を提供することである。さらに、本発明の課題は、加圧および再加圧をより確実にすることである。さらに、本発明の課題は、加圧の履歴を記録することである。所定の圧力は、製造上の理由、特に製造公差のために、同じ種類のセーフティカップリング間で異なることがある。さらに、異なる所定の圧力を選択することによって、セーフティカップリングをユースケースに適合させることができる。
【課題を解決するための手段】
【０００７】
本発明の課題は、独立請求項の特徴部分によって解決される。
【０００８】
カップリング接続部は、所定の圧力に関する情報を含むメモリデバイスを備えている。所定の圧力に関する情報は、所定の圧力値とも称される。ユースケースとカップリング接続部に対する正しい所定の圧力値を調べるのは、容易である。テーブルがメモリデバイス内に記憶されることが可能であり、記憶されているこのテーブルから所定の圧力値を抽出することができる。
【０００９】
カップリング接続部は、インプットシャフトをアウトプットシャフトに接続するためのデバイスであり、カップリング接続部の油圧チャンバは、加圧される。
【００１０】
所定のトルクを超過したときに、セーフティカップリングの滑りとしてカップリング接続部を使用することができる。カップリング接続部をさらに、ＨｙＧｒｉｐのように係合したり分離したりすることができる２つのスリーブの接続を提供するために使用することができる。
【００１１】
特に、異なるコネクティングカップリングが1つの環境で使用される場合、メモリデバイス上の情報を読み取ることによって、リリース後に、正しい所定の圧力値を調べることが有利である。誤った情報を使用するリスクが回避される。メモリデバイスをカップリングの上またはカップリングの近くに配置することが好ましい。
【００１２】
したがって、所定の圧力値が、コネクティングカップリングにリンクされているので、加圧および再加圧は、より確実になる。したがって、誤った操作を用いることが避けられる。
【００１３】
好ましい実施形態においては、コネクティングカップリングは、ＲＯＭおよびＲＡＭを含むメモリデバイスを備えている。ＲＯＭには、コネクティングカップリング識別および伝達可能なトルクに関連する所定の圧力値が記憶可能である。ＲＡＭは、コネクティングカップリングの加圧の履歴、使用状況、および、サービス間隔に関する情報を記憶するために使用され得る。さらに、実際のユースケースとＲＡＭ内の安全な適合値にコネクティングカップリングを適合させることが可能である。
【００１４】
さらなる実施形態においては、再加圧のためのシステムは、制御デバイス、好ましくは手持型デバイスを備えている。例えば、スマートフォン、タブレット、ポータブルコンピュータ、および、さらなるデバイスまたはモジュールへのデータ接続を確立する可能性を有するさらなるポータブル電子デバイスが手持型デバイスである。さらなるモジュールまたはデバイスの例は、メモリ素子および／または制御可能またはプログラム可能な弁である。このような手持型デバイスの重量は、通常２ｋｇ以下である。
【００１５】
制御デバイスは、インタフェースを備えている。メモリデバイスおよび制御デバイスは、データ接続を確立することができる。無線接続、例えば、Ｂｌｕｅｔｏｏｔｈ（Ｒ）またはＷ−ＬａｎまたはＮＦＣを使用することは、ワイヤ接続およびインタフェース開口部が不要であるので、極めて有利である。制御デバイスを、メモリデバイス内に記憶されている情報を読み取るために使用することができる。好ましい実施形態においては、手持型デバイスは、メモリデバイスからの情報を表示するために使用される。
【００１６】
システムのさらなる実施形態においては、手持型デバイスは、メモリデバイスおよび／またはポンプに接続可能である。好ましいシステムにおいては、手持型デバイスは、メモリデバイスおよびポンプに無線で接続可能である。したがって、ハードウェアによる加圧のために、圧力管路だけがカップリング接続部にリンクされればよい。
【００１７】
カップリング接続部のさらなる実施形態においては、メモリデバイスがカップリング接続部内に組み込まれている。特に、メモリデバイスは、カップリング接続部の外側スリーブ内に組み込まれている。カップリング接続部は、通常、金属製である。無線接続を可能にするためには、カップリング接続部によるシールドが回避されるべきである。極めて好ましい実施形態においては、メモリデバイスは、コネクティングカップリングの外側スリーブの表面の陥入部内に配置されている。好ましい実施形態においては、ＲＦＩＤタグがメモリデバイスとして使用され、ここで、ＲＦＩＤタグは、少なくとも所定の圧力値の情報を含む。
【００１８】
カップリング接続部の好ましい実施形態においては、メモリデバイスは、カップリング接続部に永続的に固定されている。
【００１９】
好ましい実施形態においては、メモリデバイスは、制御デバイスまたは手持型デバイスまたは表示デバイスへの接続を確立するための通信インタフェースを備えている。このインタフェースは、手持型デバイスへの有線接続のためのコネクタであり得る。接続問題のリスクが軽減される。さらに、このインタフェースは、例えばＢｌｕｅｔｏｏｔｈ（Ｒ）、ＮＦＣ、ＺｉｇＢｅｅ（Ｒ）等の無線接続を確立するために使用されるプロトコルであり得る。無線接続は、開口部が不要であり、メモリデバイスを完全に密閉することができるという利点を有している。手持型デバイスとメモリデバイスとの接続によって、メモリデバイス内に記憶されている情報を更新するまたは適応させることができる。したがって、記憶されている情報を、ユースケースと個々のカップリング接続部に合わせて調整することができる。
【００２０】
システムの好ましい実施形態においては、手持型デバイスをポンプに接続することができる。このポンプは、油圧チャンバの加圧に使用される。手持型デバイスによって、油圧チャンバの加圧を調整することが可能である。さらに、加圧終了後に、油圧チャンバ内の圧力値を記憶することができる。
【００２１】
好ましい実施形態においては、制御デバイスは、ポンプの、組み込まれた部分である。油圧チャンバの加圧は、制御デバイスによって制御される。表示デバイスを制御デバイスに割り当てて、制御デバイスによって制御される進行状況を表示することができる。さらに、表示デバイスを、制御デバイスへのデータの入力に使用することができる。
【００２２】
好ましい実施形態においては、手持型デバイスは、メモリデバイスおよびポンプにリンクされている。したがって、少なくとも最後に行われた加圧に関する情報をメモリデバイスに記憶することが可能である。さらに、そのカップリング接続部のメモリデバイスに、加圧の履歴を記憶することが可能である。
【００２３】
加えられ、伝達されたトルクが測定される場合、加圧に関連したカップリング接続部の動きを分析することが可能である。この測定に関連して、所定の圧力を適合させることが可能であり、特に所定のトルクでの滑りを確実にするように圧力を適合させることが可能である。
【００２４】
本発明のカップリング接続部は、外側スリーブと内側スリーブとの間のカップリング接続を確立するための油圧チャンバを備えている。さらに、カップリング接続部は、メモリデバイスを備えている。メモリデバイス内には、少なくとも所定の圧力値の値が記憶される。好ましい実施形態においては、メモリデバイス内に、少なくとも最後に行われた加圧の値も記憶される。
【００２５】
システムの好ましい実施形態においては、カップリング接続部によって伝達されたトルクの測定値を生成するトルク測定センサが含まれる。
【００２６】
カップリング接続部の好ましい実施形態においては、カップリング接続部に加えられたおよび／または伝達されたトルクは、カップリング接続部のトルクセンサによって測定される。さらなる実施形態においては、トルク測定値は、カップリング接続部の一部ではないトルクセンサによって測定されるが、測定結果は、カップリング接続部のメモリデバイスに伝達される。
【００２７】
好ましい実施形態においては、カップリング接続部は、油圧チャンバ内の圧力の圧力値を提供する圧力センサを備えている。
【００２８】
本発明は、カップリング接続部のインプットスリーブとアウトプットスリーブとの接続を確立する方法に関する。インプットスリーブとアウトプットスリーブは、同軸に配置されている。インプットスリーブは、摩擦によってアウトプットスリーブと相互作用している。インプットスリーブを、内側スリーブとして外側スリーブの半径方向内側に配置することができ、アウトプットスリーブを、外側スリーブとして半径方向外側に配置することができ、または、その逆に配置することができる。結合は、内側スリーブと外側スリーブとの間に摩擦力を提供する油圧チャンバの加圧によって確立され、
・カップリング接続部のメモリデバイスから所定の圧力値を読み出すステップと、
・ポンプによって油圧チャンバを加圧するステップと、
・所定の圧力値の情報と、油圧チャンバの圧力情報とをディスプレイに表示するステップと、
を含む。
【００２９】
好ましい方法においては、加圧の値は、加圧の終了後にメモリデバイスに伝達される。伝達された加圧の値は、メモリデバイス内に記憶される。
【００３０】
好ましい方法においては、油圧チャンバの加圧は、手持型デバイスによって制御される。そのため、手持型デバイスは、加圧のために使用されるポンプと相互作用する。
【００３１】
好ましい方法においては、
・カップリング接続部に固定された、カップリング接続部の個々の識別を読み出すために、手持型デバイスを使用するステップと、
・手持型デバイスが、所定の圧力値を提供するステップと、
・手持型デバイスが、油圧チャンバの加圧を制御し、好ましくは、加圧の進行状況を表示するステップと、
を含む。
【００３２】
本発明は、その課題および利点とともに、添付の図面とともにこれらの好ましい実施形態の以下の説明を参照することによって、極めて良好に理解されるであろう。
【図面の簡単な説明】
【００３３】
【図１】加圧プロセス中の、カップリング接続部を備えているシステム。
【図２】メモリデバイスに接続されている手持型デバイス。
【図３】内側スリーブと外側スリーブを備えているカップリング接続部。
【発明を実施するための形態】
【００３４】
図１には、カップリング接続部３を備えているシステム１が開示されている。カップリング接続部３は、インプットシャフト１５をアウトプットシャフト１７に接続する。インプットシャフト１５は、図３に示されている内側スリーブ５に接続されている。アウトプットシャフト１７は、同様に図３に示されている外側スリーブ７に接続されている。図３においては、アウトプットシャフト１７は、フランジ８によって外側スリーブ７に接続可能である。カップリング接続部３は、メモリデバイス２１を備えている。メモリデバイス２１は、インタフェース２７に接続されている、または、インタフェース２７を備えている。図１の実施形態においては、メモリデバイス２１は、線でインタフェース２７と接続されている。手持型デバイス３３の形態の制御デバイス３１は、インタフェース２７に接続可能である。このようなケースにおいては、制御デバイス３１は、線２８によってインタフェース２７に接続されている。制御デバイス３１は、手持型デバイス３３である。手持型デバイス３３は、ディスプレイ３５を備えている。さらに、手持型デバイス３３は、無線接続２９によってポンプ１９に接続されている。ポンプ１９は、ポンプ管路１２によって、カップリング接続部３の油圧チャンバ９と油圧で接続されている。ポンプ１９は、手持型デバイス３３によって制御可能である。さらに、カップリング接続部は、油圧チャンバ９の開口部を閉じるための弁１３またはスクリュープラグを備えている。
【００３５】
カップリング接続部３は、摩擦係合によってインプットシャフト１５とアウトプットシャフト１７との間の接続を確立する。摩擦係合は、カップリング接続部３の油圧チャンバ９を加圧することによって実現される。油圧チャンバ９を加圧するために、ポンプ１９が油圧チャンバ９に接続されている。手持型デバイスが、カップリング接続部３のメモリデバイスに接続されている。手持型デバイス３３は、メモリデバイス２１内に記憶されている所定の圧力値を読み出す。メモリデバイス３３は、ポンプへの無線接続を確立する。油圧チャンバの加圧は、手持型デバイス３３によって制御される。圧力センサ３６、３８が、油圧チャンバ９内の圧力を検出する。圧力センサ３８は、ポンプの一部であってよい。圧力センサ３８の測定値は、手持型デバイス３３に伝達される。手持型デバイス３３は、油圧チャンバ９の加圧を、所定の圧力値まで制御する。加圧後、油圧チャンバ９は、弁１３またはスクリュープラグによって閉じられる。ポンプ１９は、カップリング接続部３から分離可能である。加圧の圧力値は、メモリデバイス２１に伝達され、メモリデバイス２１内に記憶される。特に、カップリング接続部３の損傷の場合に、最後に行われた加圧の値を読み出すことが可能である。加えられたトルクおよび伝達されたトルクの情報も利用可能である場合、どのトルク値で、この損傷が発生したのかを決定することが可能である。さらに、分析のために、最後に行われた加圧の値を読み出すことが可能である。
【００３６】
図２は、手持型デバイス３３をより詳細に開示している。手持型デバイス３３は、ディスプレイ３５を備えている。ディスプレイは、低圧の圧力範囲５５、所定の圧力範囲５７および過負荷の圧力範囲５９を表示する圧力ディスプレイパネル４３を備えている。実際の圧力情報は、線４１によって示される。ディスプレイは、圧力履歴パネル４５と、所定圧力値パネル４７と、ポンプ圧力パネル４９とを備えている。さらに、カップリング接続部３のＩＤが、カップリング接続部ＩＤパネル５１に表示される。さらに、プロセス選択のためのフィールド５３が設けられている。そこで、ユーザは、加圧履歴、サービス履歴およびイベント履歴、または、カップリング接続部３の加圧の表示等の異なるオプションを選択することができる。カップリング接続部３としてのセーフティカップリングの場合、イベント履歴は、滑りまたは分離のイベントを含む。手持型デバイスは、通信インタフェース３７を備えている。手持型デバイス３３は、無線接続２９によってメモリデバイス２１に接続されている。メモリデバイス２１は、ＲＯＭ２３およびＲＡＭ２５を備えている。
【００３７】
図３は、詳細なカップリング接続部３を開示している。カップリング接続部３は、内側スリーブ５と外側スリーブ７を備えている。外側スリーブ７は、油圧チャンバ９を備えている。油圧チャンバ９は、プラグスクリュー１４によって閉じられている。外側スリーブ７は、アウトプットシャフト１７との接続のためにフランジ８を備えている。トルクセンサ３９は、カップリング接続部３によって伝達されるトルクを決定するように配置されている。圧力センサ３６が、圧力測定のために外側スリーブ７内に組み込まれている。メモリデバイス２１は、外側スリーブ７の外面に配置されている。
【００３８】
本明細書で使用されている用語および表現は、限定ではなく、説明の用語として使用されており、そのような用語および表現の使用において、図示および記載された特徴またはその一部の、いかなる等価物も排除する意図はないが、特許請求の範囲に記載された本発明の範囲内で種々の変更が可能であることが認められる。
【符号の説明】
【００３９】
１  システム
３  カップリング接続部
５  内側スリーブ
７  外側スリーブ
８  フランジ
９  油圧チャンバ
１２  ポンプ管路
１３  弁
１４  プラグスクリュー
１５  インプットシャフト
１７  アウトプットシャフト
１９  ポンプ
２１  メモリデバイス
２３  ＲＯＭ
２５  ＲＡＭ
２７  インタフェース
２９  無線接続
３１  制御デバイス
３３  手持型デバイス
３５  表示デバイス、ディスプレイ
３７  手持型デバイスの通信インタフェース
３６  圧力センサ（カップリングデバイス）
３８  圧力センサ（ポンプ）
３９  トルクセンサ
４１  圧力情報
４３  圧力表示パネル
４５  圧力履歴パネル
４７  所定圧力値パネル
４９  ポンプ圧力パネル
５１  カップリング接続部ＩＤパネル
５３  プロセス選択のためのフィールド
【図１】
2019510937.tif 000003
【図２】
2019510937.tif 000004
【図３】
2019510937.tif 000005
【国際調査報告】
2019510937.tif 000006
2019510937.tif 000007